(57)【要約】【課題】コンテンツの処理に関する即応性を高めることが可能な、新規かつ改良された送信装置、中継装置及び受信装置を提案する。【解決手段】本開示によれば、時間的な連続性を有する同一のコンテンツについて、第１の品質での再生のために用いられる第１の符号化データと、第１の品質よりも高品質な第２の品質での再生のために用いられる第２の符号化データとを記憶する記憶部と、第１の符号化データを受信装置に送信した後、受信装置からデータ位置に関する第１の位置情報を受信し、第２の符号化データのうちで第１の位置情報に対応する部分を受信装置に送信する通信部と、を備える、送信装置が提供される。【選択図】図１
2015033629.tif 000002
【特許請求の範囲】
【請求項１】
時間的な連続性を有する同一のコンテンツについて、第１の品質での再生のために用いられる第１の符号化データと、前記第１の品質よりも高品質な第２の品質での再生のために用いられる第２の符号化データとを記憶する記憶部と、
前記第１の符号化データを受信装置に送信した後、前記受信装置からデータ位置に関する第１の位置情報を受信し、前記第２の符号化データのうちで前記第１の位置情報に対応する部分を前記受信装置に送信する通信部と、
を備える、送信装置。
【請求項２】
前記記憶部に記憶されたデータから所定のデータ形式を有する前記第１の符号化データを選択し、選択した前記第１の符号化データを前記通信部に送信させる制御部をさらに備える、請求項１に記載の送信装置。
【請求項３】
前記第１の品質の再生は、前記第１の符号化データが用いられ、
前記第２の品質の再生は、前記第１の符号化データと前記第２の符号化データとの両方が用いられる、請求項１に記載の送信装置。
【請求項４】
前記第１の符号化データは、前記第２の符号化データよりも圧縮率の高いデータである、請求項１に記載の送信装置。
【請求項５】
前記記憶部は、前記第２の品質よりも高品質な第３の品質での再生のために用いられる第３の符号化データを記憶し、
前記通信部は、前記第２の符号化データを前記受信装置に送信した後、前記受信装置からデータ位置に関する第２の位置情報を受信し、前記第３の符号化データのうちで前記第２の位置情報に対応する部分を送信する、請求項１に記載の受信装置。
【請求項６】
前記通信部は、前記第１の位置情報を受信した後、前記第２の符号化データのうちで前記第１の位置情報の対応する再生位置の先の再生位置に対応する部分をさらに前記受信装置に送信する、請求項１に記載の送信装置。
【請求項７】
前記記憶部は、前記第１の符号化データと同一コンテンツに関する時間的な連続性を有する関連データを記憶し、
前記通信部は、前記関連データを前記受信装置に送信する、請求項１に記載の送信装置。
【請求項８】
送信装置から受信装置に送信される時間的な連続性を有する同一のコンテンツについて、第１の品質での再生のために用いられる第１の符号化データと、前記第１の品質よりも高品質な第２の品質での再生のために用いられる第２の符号化データとを中継し、前記受信装置から前記送信装置に送信されるデータ位置に関する第１の位置情報を中継する通信部を備え、
前記通信部は、前記第１の符号化データを中継した後、前記第１の位置情報を中継し、前記第２の符号化データのうちで前記第１の位置情報に対応する部分を中継する、中継装置。
【請求項９】
記憶部と、
前記通信部により中継された前記第１の符号化データの形式に基づき、当該第１の符号化データを前記記憶部に保持させるか否かを判断する制御部と、
をさらに備える、請求項８に記載の中継装置。
【請求項１０】
前記制御部は、前記第１の品質の再生および前記第２の品質の再生の双方のために用いられる形式を有する第１の符号化データを前記記憶部に保持させ、前記第２の品質の再生のために用いられない形式を有する第１の符号化データを前記記憶部に保持させない、請求項９に記載の中継装置。
【請求項１１】
前記第１の符号化データ、前記第２の符号化データ及び前記その他の符号化データは、互いに圧縮率の異なるデータであり、
前記第１の符号化データ、前記第２の符号化データまたはその他の符号化データのうち少なくとも一つの符号化データを前記記憶部に記憶させるか否かを、前記中継装置における処理で用いられるコンテンツの品質を示す品質情報に基づいて判断する制御部をさらに備える、請求項９に記載の中継装置。
【請求項１２】
前記通信部は、前記送信装置から送信される前記第２の品質よりも高品質な第３の品質での再生のために用いられ、符号化データの一つである第３の符号化データを受信し、
前記記憶部は、前記第３の符号化データを記憶する、請求項９に記載の中継装置。
【請求項１３】
前記通信部は、前記受信装置から送信されるデータ位置に関する第２の位置情報を受信または前記送信装置に中継する、請求項９に記載の中継装置。
【請求項１４】
前記第１の符号化データ、前記第２の符号化データ及びその他の符号化データの少なくとも一つの符号化データのうちで前記第２の位置情報に対応する部分を選択する制御部を備える、請求項１３に記載の中継装置。
【請求項１５】
前記通信部は、データ記憶装置との通信を行い、前記制御部により選択された前記符号化データのうちで前記第２の位置情報に対応する部分を前記データ記憶装置に送信する、請求項１４に記載の中継装置。
【請求項１６】
データ位置に関する第１の位置情報を生成する制御部と、
送信装置から送信される時間的な連続性を有する同一のコンテンツについて、第１の品質での再生のために用いられる第１の符号化データと、前記第１の品質よりも高品質な第２の品質での再生のために用いられる第２の符号化データとを受信し、前記第１の位置情報を前記送信装置に送信する通信部と、
受信した前記第１の符号化データと前記第２の符号化データとを含む符号化データを記憶する記憶部と、
を備え、
前記通信部は、前記第１の符号化データを受信した後、前記第１の位置情報を送信し、前記第２の符号化データのうちで前記第１の位置情報に対応する部分を受信する、受信装置。
【請求項１７】
前記制御部は、データ位置に関する第２の位置情報を生成し、
前記通信部は、前記第２の位置情報を送信する、請求項１６に記載の受信装置。
【請求項１８】
前記制御部は、前記符号化データの少なくとも一つの符号化データのうち前記第２の位置情報に対応する部分を選択し、
前記通信部は、データ記憶装置との通信を行い、選択された前記前記第２の位置情報に対応する部分をデータ記憶装置に送信する、請求項１７に記載の受信装置。
【請求項１９】
前記通信部は、前記送信装置から送信される前記第２の品質よりも高品質な第３の品質での再生のために用いられる第３の符号化データを受信し、
前記記憶部は、前記第３の符号化データを記憶する、請求項１６に記載の受信装置。
【発明の詳細な説明】
【技術分野】
【０００１】
本開示は、送信装置、中継装置及び受信装置に関する。
【背景技術】
【０００２】
近年、映像や音声などのコンテンツのデータを送信装置から再生及び編集の少なくとも一方が可能な受信装置に対して、配信するという需要が高まっている。【０００３】
例えば、特許文献１には、ビデオコンテンツの最初の数１０秒などであるスターティングブロックをユーザからの操作なしに自動転送しておくことで、ストリーミング再生の開始までの待ち時間を短縮することが開示されている。
【先行技術文献】
【特許文献】
【０００４】
【特許文献１】特開２００６−１０９４８０号公報
【発明の概要】
【発明が解決しようとする課題】
【０００５】
しかし、受信装置にて映像の再生が行われる場合、ユーザが目的とする再生位置は、ビデオコンテンツの最初でないことがあり得る。この場合、例えば、ユーザは受信装置の再生位置を探し出すために、再生位置を移動させるシーキングを繰り返す。ユーザは、移動した再生位置での映像を確認することで、現在の再生位置が目的とする再生位置か否か、または目的の再生位置が現在の再生位置のどの程度前後にあるかを判断する。また、受信装置にて配信された映像の編集が行われる場合についても同様に、ユーザが目的とする再生位置を探し出すために、シーキングが行われる。【０００６】
このような、シーキングにより複数の再生位置が選択される（このような操作をザッピングともいう）場合、選択される再生位置はユーザにより任意に選択される。このため、例えば最初の数１０秒以外の再生位置が選択された場合、特許文献１で開示された技術では、ストリーミング再生の開始まで待ち時間が発生し、即応性が低くなる。【０００７】
そこで、本開示では、コンテンツの処理に関する即応性を高めることが可能な、新規かつ改良された送信装置、中継装置及び受信装置を提案する。
【課題を解決するための手段】
【０００８】
本開示によれば、時間的な連続性を有する同一のコンテンツについて、第１の品質での再生のために用いられる第１の符号化データと、第１の品質よりも高品質な第２の品質での再生のために用いられる第２の符号化データとを記憶する記憶部と、第１の符号化データを受信装置に送信した後、受信装置からデータ位置に関する第１の位置情報を受信し、第２の符号化データのうちで第１の位置情報に対応する部分を受信装置に送信する通信部と、を備える、送信装置が提供される。【０００９】
また、本開示によれば、送信装置から受信装置に送信される時間的な連続性を有する同一のコンテンツについて、第１の品質での再生のために用いられる第１の符号化データと、第１の品質よりも高品質な第２の品質での再生のために用いられる第２の符号化データとを中継し、受信装置から送信装置に送信されるデータ位置に関する第１の位置情報を中継する通信部を備え、通信部は、第１の符号化データを中継した後、第１の位置情報を中継し、第２の符号化データのうちで第１の位置情報に対応する部分を中継する、中継装置法が提供される。【００１０】
また、本開示によれば、データ位置に関する第１の位置情報を生成する制御部と、送信装置から送信される時間的な連続性を有する同一のコンテンツについて、第１の品質での再生のために用いられる第１の符号化データと、第１の品質よりも高品質な第２の品質での再生のために用いられる第２の符号化データとを受信し、第１の位置情報を送信装置に送信する通信部と、受信した第１の符号化データと第２の符号化データとを含む符号化データを記憶する記憶部と、を備え、通信部は、第１の符号化データを受信した後、第１の位置情報を送信し、第２の符号化データのうちで第１の位置情報に対応する部分を受信する、受信装置が提供される。【００１１】
本開示によれば、第１の符号化データが送信装置から受信装置に送信された後、第１の位置情報に対応する第２の符号化データの部分が送信装置から受信装置に送信される。したがって、第１の品質の再生のために用いられる第１の符号化データが受信装置に記憶された状態で、第２の品質の再生のために用いられる第２の符号化データのうちでユーザが必要な部分のみが受信装置に送信される。
【発明の効果】
【００１２】
以上説明したように本開示によれば、コンテンツの処理に関する即応性を高めることが可能な、新規かつ改良された送信装置、中継装置及び受信装置が提供される。【００１３】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本開示の第１の実施形態に係るデータ伝送システムの構成を示した説明図である。
【図２】同実施形態に係る送信装置、中継装置及び受信装置の構成を示した機能ブロック図である。
【図３】同実施形態に係る受信装置の表示部における表示例の説明図である。
【図４】同実施形態に係るデータ伝送システムにおいて、映像を編集し、ＬＡＮと異なるネットワークへ送信する動作を示した説明図である。
【図５Ａ】同実施形態における、低周波成分データ及び中周波成分データの送信シーケンスを示したシーケンス図である。
【図５Ｂ】同実施形態における、高周波成分データの送信シーケンス及び映像を生成してＬＡＮと異なるネットワークへ送信するシーケンスを示したシーケンス図である。
【図６】同実施形態に係る中継装置の中周波成分を取得する処理を示したフローチャートである。
【図７】本開示の第２の実施形態に係るデータ伝送システムにおいて、映像を編集し、中解像度のデータをＬＡＮと異なるネットワークへ送信する動作を示した説明図である。
【図８Ａ】同実施形態における、低解像度データ及び中解像度データの送信シーケンスを示したシーケンス図である。
【図８Ｂ】同実施形態における、中解像度の映像を生成してＬＡＮと異なるネットワークへ送信するシーケンスを示したシーケンス図である。
【図９】同実施形態に係る中継装置のデータの中継動作を示したフローチャートである。
【図１０】同実施形態に係るデータ伝送システムにおいて、映像を編集し、高解像度のデータをＬＡＮと異なるネットワークへ送信する動作を示した説明図である。
【図１１Ａ】同実施形態における、低解像度データ及び中解像度データの送信シーケンスを示したシーケンス図である。
【図１１Ｂ】同実施形態における、高解像度データの送信シーケンス及び高解像度の映像を生成してＬＡＮと異なるネットワークへ送信するシーケンスを示したシーケンス図である。
【図１２】本開示の第３の実施形態に係るデータ伝送システムを示した説明図である。
【図１３】同実施形態に係る送信装置、中継装置及び受信装置の構成を示した機能ブロック図である。
【図１４】本開示の一実施形態に係る送信装置のハードウェア構成を説明するためのブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．第１の実施形態（データがＳＶＣ形式の例）
１―１．データ伝送システムの概略説明
１―２．データを編集し、ＬＡＮと異なるネットワークへ送信する動作例
２．第２の実施形態（データが圧縮形式の例）
２−１．データ伝送システムの概略説明
２−２．中解像度のデータを編集し、ＬＡＮと異なるネットワークへ送信する動作例
２−３．高解像度のデータを編集し、ＬＡＮと異なるネットワークへ送信する動作例
３．第３の実施形態（他のデータ伝送システム）
４．ハードウェア構成
５．むすび
【００１７】
＜１．第１の実施形態（データがＳＶＣ形式の例）＞
［１−１．データ伝送システムの概略説明］
まず、図１〜図３を参照して、本開示の第１の実施形態に係るデータ伝送システムの概略構成について説明する。
【００１８】
図１は、本開示の第１の実施形態に係るデータ伝送システムの構成を示した説明図である。図１に図示したデータ伝送システムは、送信装置１００と、中継装置２００と、受信装置３００とを含む。
【００１９】
図１に図示した例では、送信装置１００と受信装置３００とは、中継装置２００を介してデータの送受信をする。送信装置１００、中継装置２００及び受信装置３００は、例えば無線通信を利用したＬＡＮ（Ｌｏｃａｌ  Ａｒｅａ  Ｎｅｔｗｏｒｋ）に接続されることにより、互いにデータの送受信を行う。中継装置２００は、送信装置１００及び受信装置３００が接続されたＬＡＮと異なるネットワーク４００に接続することができ、異なるネットワーク４００に接続された他のデータ記憶装置とデータの送受信を行う。
【００２０】
本実施形態に係るデータ伝送システムでは、送信装置１００に記憶された時間的な連続性を有する映像や音声などのコンテンツのデータが、中継装置２００を介して受信装置３００に送信される。送信されたデータは、受信装置３００で編集され、中継装置２００を介してＬＡＮと異なるネットワーク４００に接続された他のデータ記憶装置へ送信される。
【００２１】
図２は、本実施形態に係る送信装置１００、中継装置２００及び受信装置３００の構成を示した機能ブロック図である。
【００２２】
（送信装置１００）
送信装置１００は、例えばデジタルビデオカメラ等の映像を撮像する撮像装置である。図２に図示した例では、送信装置１００は、例えば制御部１１０と、記憶部１２０と、通信部１３０と、入力部１４０と、撮像部１５０とを含む。
【００２３】
制御部１１０は、送信装置１００が有する各構成を制御する。例えば、制御部１１０は、図２に示すように、入力部１４０から出力された操作信号に応じたコントロール信号を各構成に出力し、撮像制御、画像処理制御および記録制御等を実行する。また、制御部１１０は、通信部１３０を制御する通信制御部としても機能する。
【００２４】
記憶部１２０は、例えばメモリーカード、ＨＤＤ（Ｈａｒｄ
Ｄｉｓｋ Ｄｒｉｖｅ）又はＳＳＤ（Ｓｏｌｉｄ Ｓｔａｔｅ Ｄｒｉｖｅ）等の記憶媒体である。記憶部１２０は、後述する制御部１１０から送信される所定の形式に符号化されたデータや中継装置２００等の外部装置から送信されるデータを記憶する。
【００２５】
通信部１３０は、制御部１１０による制御に従い、例えば中継装置２００等の周囲の外部装置と無線通信を行うインターフェイスである。例えば、通信部１３０は、中継装置２００をアクセスポイントとするＷｉ−Ｆｉ無線ＬＡＮに接続することで、中継装置２００を介して同じＬＡＮに接続された受信装置３００や中継装置２００とデータの送受信を行う。
【００２６】
入力部１４０は、ユーザによる操作入力を検出し、操作信号として制御部１１０に出力する。入力部１４０は、例えば撮像の開始と終了が入力される撮像ボタン等の物理的な構成よりなるボタンであってもよく、操作画面へのタッチ操作を検出するタッチパネルであってもよい。
【００２７】
撮像部１５０は、例えばレンズ等の光学系と、ＣＣＤ（Ｃｈａｒｇｅ Ｃｏｕｐｌｅｄ Ｄｅｖｉｃｅ）またはＣＭＯＳ（Ｃｏｍｐｌｅｍｅｎｔａｒｙ
Ｍｅｔａｌ Ｏｘｉｄｅ Ｓｅｍｉｃｏｎｄｕｃｔｏｒ）等の撮像素子からなる信号変換部を含む。撮像部１５０は、制御部１１０の制御に従い、光学系により形成される被写体像を信号変換部にて電気的な画像信号に変換させる。画像信号は、制御部１１０にて所定の形式に符号化され、記憶部１２０に送られる。
【００２８】
（中継装置２００）
中継装置２００は、例えばモバイルＷｉ―Ｆｉルーターやデザリング機能を有するスマートフォン等である。中継装置２００は、例えば制御部２１０と、記憶部２２０と、通信部２３０とを含む。
【００２９】
制御部２１０は、中継装置２００が有する各構成を制御する。例えば、制御部２１０は、記録制御および画像処理制御等を実行する。また、制御部２１０は、通信部２３０を制御する通信制御部としても機能する。
【００３０】
記憶部２２０は、例えばメモリーカード、ＨＤＤ又はＳＳＤ等の記憶媒体である。記憶部２２０は、制御部２１０による制御に従い、例えば送信装置１００から通信部２３０に送信される符号化データや、受信装置３００から通信部２３０に送信されるデータを記憶する。
【００３１】
通信部２３０は、制御部２１０による制御に従い、例えば送信装置１００及び受信装置３００と無線通信を行うインターフェイスである。例えば、通信部２３０は、アクセスポイントとなり、送信装置１００と受信装置３００とが接続されたＷｉ−Ｆｉ無線ＬＡＮを形成する。また、通信部２３０は、送信装置１００と受信装置３００とが接続されたＬＡＮと異なるネットワーク４００に接続することができ、異なるネットワークに接続されたデータ記憶装置とデータ通信を行うことができる。さらに、通信部２３０は、ゲートウェイとして機能し、ＬＡＮと異なるインターネット等にデータ通信をすることができる。
【００３２】
（受信装置３００）
受信装置３００は、例えばウェアブルデバイスやタブレット端末等の情報処理装置である。受信装置３００は、例えば制御部３１０と、記憶部３２０と、通信部３３０と、入力部３４０と、表示部３６０とを含む。
【００３３】
制御部３１０は、受信装置３００が有する各構成を制御する。例えば、制御部３１０は、図２に示すように、入力部３４０から出力された操作信号に応じたコントロール信号を各構成に出力し、画像処理制御、記録制御およびデータ生成制御等を実行する。また、制御部３１０は、同じＬＡＮに接続された装置からのデータの送信に応じて、記録制御等を実行する。さらに、制御部３１０は、通信部３３０を制御する通信制御部としても機能する。
【００３４】
記憶部３２０は、例えばメモリーカード、ＨＤＤ又はＳＳＤ等の記憶媒体である。記憶部３２０は、中継装置２００を介して送信装置１００から送信されるデータを記憶する。また、記憶部３２０は、制御部３１０により生成されるデータを記憶する。
【００３５】
通信部３３０は、制御部３１０による制御に従い、例えば送信装置１００及び中継装置２００と無線通信を行うインターフェイスである。例えば、通信部３３０は、中継装置２００をアクセスポイントとするＷｉ−Ｆｉ無線ＬＡＮに接続することで、中継装置２００を介して同じＬＡＮに接続された送信装置１００や中継装置２００とデータの送受信を行う。
【００３６】
入力部３４０は、ユーザによる操作入力を検出し、操作信号として制御部３１０に出力する。入力部３４０は、例えば選択操作や移動操作が入力される撮像ボタン等の物理的な構成よりなるボタンであってもよく、後述する表示部３６０へのタッチ操作を検出するタッチパネルであってもよい。
【００３７】
表示部３６０は、例えばＬＣＤ（Ｌｉｑｕｉｄ  Ｃｒｙｓｔａｌ  Ｄｉｓｐｌａｙ）、または有機ＥＬ（Ｅｌｅｃｔｒｏ  Ｌｕｍｉｎｅｓｃｅｎｃｅ）ディスプレイなどの表示装置である。表示部３６０は、制御部３１０による制御に従い、例えば記憶部３２０に記憶された映像等のコンテンツを表示してユーザに提示する。
【００３８】
図３は、本実施形態に係る受信装置３００の表示部３６０における表示例の説明図である。図３に図示した例では、表示部３６０は、タッチパネルからなり、ユーザの接触操作を感知する入力部３４０としても機能する。
【００３９】
表示部３６０には、例えばコンテンツ表示領域３６１と、シークバー３６２と、再生位置３６３と、再生時間３６４と、総再生時間３６５とが表示される。
【００４０】
コンテンツ表示領域３６１は、例えば記憶部３２０に記憶された映像が表示される。シークバー３６２は、総再生時間３６５に対する再生位置３６３の相対的な位置を示す。再生位置３６３は、シークバー３６２上に表示され、コンテンツ表示領域３６１に再生されている映像の再生位置を相対的に示す。再生時間３６４は、再生位置３６３における再生時間を示す。総再生時間３６５は、コンテンツ表示領域３６１に表示された映像の総再生時間を示す。
【００４１】
例えば、ユーザは、接触操作を行い、再生位置３６３をシークバー３６２上の任意の位置に移動させることにより、任意の再生位置の映像をコンテンツ表示領域３６１に表示させることができる。以上、本開示の第１の実施形態に係るデータ伝送システムの概略構成を説明した。
【００４２】
［１−２．データを編集し、ＬＡＮと異なるネットワーク送信する動作例］
次に、図４〜６を参照して本実施形態に係るデータ伝送システムにおいて、映像を編集し、ＬＡＮと異なるネットワーク４００へ送信する動作の一例を説明する。本実施形態の編集方法では、送信装置１００に記憶された高解像度の品質の映像について、ユーザが目的とする任意の再生時間の範囲の映像が切り出される（このような処理をトリミングともいう）。トリミングされた映像は、ＬＡＮと異なるネットワーク４００に接続されたデータ記憶装置に送信される。
【００４３】
図４は、本実施形態に係るデータ伝送システムにおいて、映像を編集し、ＬＡＮと異なるネットワーク４００へ送信する動作を示した説明図である。図５Ａは、本実施形態における、低周波成分データＤ１及び中周波成分データＤ２の送信シーケンスを示したシーケンス図である。図５Ｂは、本実施形態における、高周波成分データＤ３の送信シーケンス及び映像を生成してＬＡＮと異なるネットワークへ送信するシーケンスを示したシーケンス図である。
【００４４】
本実施形態における映像は、例えば送信装置１００にて撮像された映像のデータである。送信装置１００で撮像される映像は、制御部１１０にてＳＶＣ（Ｓｃａｌａｂｌｅ
Ｖｉｄｅｏ Ｃｏｄｉｎｇ）形式に符号化され、記憶部１２０に記憶される。ＳＶＣ形式は、多層的なデータ構造を有し、複数のレイヤの組み合わせにより複数の品質で再生させることができる映像符号化形式である。
【００４５】
本実施形態では、図４に図示したように、ＳＶＣ形式で符号化されたデータは、低周波成分データＤ１と、中周波成分データＤ２と、高周波成分データＤ３との３つの符号化データからなるレイヤを有する。ＳＶＣ形式で符号化されたデータは、低解像度、中解像度及び高解像度の３つの品質で再生することができる。このとき、低解像度の品質で再生が行わる場合、低周波成分データＤ１が用いられる。また、中解像度の品質で再生が行われる場合、低周波成分データＤ１及び中周波成分データＤ２の２つの符号化データが用いられる。さらに、高解像度の品質で再生が行われる場合、低周波成分データＤ１、中周波成分データＤ２及び高周波成分データＤ３の３つの符号化データが用いられる。
【００４６】
つまり、高い解像度で再生するためのデータは、低周波成分データＤ１に加えてそれよりも高い周波成分データを差分として追加することで得られる。
【００４７】
（低周波成分データの送信シーケンス）
まず、低周波成分データＤ１の送信シーケンスについて説明する。送信装置１００の記憶部１２０に一つまたは複数のコンテンツについての符号化データが記憶されている場合、制御部１１０は、受信装置３００に送信する符号化データを選択する。このとき、制御部１１０は、例えばデータの形式がＳＶＣ形式か否かを判断し、ＳＶＣ形式の符号化データを選択する（Ｓ１１０）。
【００４８】
次いで、通信部１３０は、制御部１１０による制御に従い、選択されたＳＶＣ形式の符号化データの低周波成分データＤ１を中継装置２００に送信する（Ｓ１１２）。
【００４９】
さらに、中継装置２００の制御部２１０は、送信された低周波成分データＤ１を記憶部２２０に保持させる（Ｓ１１４）。ステップＳ１１４の後、通信部２３０は、制御部２１０による制御に従い、送信された低周波成分データＤ１を受信装置３００に送信する（Ｓ１１６）。本実施形態におけるデータの保持とは、中継のためにデータを一時的に記憶させることではなく、中継後もデータを処理できるように記憶部２２０に記憶させることである。
【００５０】
その後、受信装置３００の制御部３１０は、送信された低周波成分データＤ１を記憶部３２０に記憶させる（Ｓ１１８）。図４に図示した状態（ｉ）は、ステップＳ１１８の処理が行われた状態を示し、送信装置１００から送信された低周波成分データＤ１が、中継装置２００及び受信装置３００に記憶されている状態である。
【００５１】
状態（ｉ）において、例えば受信装置３００は、送信された低周波成分データＤ１を用いて低解像度の品質でコンテンツを再生することができる。これにより、ユーザは、低解像度の品質の映像を確認することができ、映像の概略を把握することができる。このとき、低周波成分データＤ１は、予め受信装置３００内に記憶されており、通信環境の影響がなく表示されるため、即応性を高めることができる。
【００５２】
また、後述する受信装置３００にて中解像度の品質でストリーミング再生を行う場合においても、ユーザが選択した再生位置について、ストリーミング再生が開始される前に低解像度の品質で映像または画像を表示させることができる。これにより、ストリーミング再生が開始されるまでの間に、ユーザはどのような映像が表示されるかを把握することができ、目的の映像を容易に探し出すことが可能となる。
【００５３】
低周波成分データＤ１の送信シーケンスは、制御部１１０により自動的に開始されてもよく、ユーザの操作に基づいて開始されてもよい。自動的にシーケンスが開始される場合、例えば制御部１１０が一定時間毎に記憶部１２０に記憶された符号化データから未送信のＳＶＣ形式の符号化データを選択してもよい。また、記憶部１２０に新たな符号化データが記憶されたタイミングで、制御部１１０は記憶部１２０に記憶された符号化データから未送信のＳＶＣ形式の符号化データを選択してもよい。
【００５４】
（中周波成分データの送信シーケンス）
次に、中周波成分データＤ２の送信シーケンスについて説明をする。中周波成分データＤ２の送信シーケンスは、例えば、ステップＳ１１８の後、受信装置３００にて低周波成分データＤ１に基づいて再生位置がユーザの操作により選択されることで開始する。中周波成分データＤ２の送信シーケンスが開始すると、受信装置３００の制御部３１０は、選択された再生位置を示す第１の位置情報である再生位置情報を生成する（Ｓ１２０）。再生位置情報は、例えば、選択された再生位置を示す再生時間を含む。
【００５５】
さらに、通信部３３０は、制御部３１０による制御に従い、生成された再生位置情報を中継装置２００に送信する（Ｓ１２２）。ステップＳ１２２の後、中継装置２００の通信部２３０は、制御部２１０による制御に従い、受信した再生位置情報を送信装置１００に送信する（Ｓ１２４）。
【００５６】
その後、送信装置１００の制御部１１０は、受信した再生位置情報に対応する中周波成分データＤ２の少なくとも一部を選択する（Ｓ１２６）。ステップＳ１２６の後、通信部１３０は、制御部１１０による制御に従い、選択された中周波成分データＤ２を中継装置２００に送信する（Ｓ１２８）。
【００５７】
次いで、中継装置２００の制御部２１０は、受信した中周波成分データＤ２を記憶部２２０に保持させる（Ｓ１３０）。ステップＳ１３０の後、通信部２３０は、制御部２１０の制御に従い、受信した中周波成分データＤ２を受信装置３００に送信する（Ｓ１３２）。
【００５８】
さらに、受信装置３００の制御部３１０は、受信した中周波成分データＤ２を記憶部３２０に記憶させる（Ｓ１３４）。図４に図示した状態（ｉｉ）は、ステップＳ１３４の処理が行われた状態を示し、選択された中周波成分データＤ２が中継装置２００及び受信装置３００に記憶されている状態である。
【００５９】
中周波成分データの送信シーケンスが開始した後、受信装置３００は、受信した中周波成分データＤ２と予め記憶していた低周波成分データＤ１を用いて、中解像度の品質でコンテンツを再生する。このとき、制御部３１０は、フレームレートに応じて再生位置Ｐ１を変更する。例えば、制御部３１０は、フレームレートが秒速３０フレームである場合、３３ミリ秒だけ再生位置を進める。再生位置Ｐ１が変更された後、制御部３１０により変更された再生位置Ｐ１に対応する再生位置情報が生成され、Ｓ１２０からＳ１３４までの処理が繰り返される。
【００６０】
なお、本実施形態では、ステップＳ１２６において、再生位置情報に対応する中周波成分データＤ２として、再生位置Ｐ１を含む中周波成分データＤ２の一部に加え、さらにその先の再生位置に対応する一部が選択されてもよい。このとき、制御部１１０は、例えば再生位置Ｐ１を含む中周波成分データＤ２の一部を先に送信させ、その後、さらにその先の再生位置に対応する中周波成分データＤ２の一部を送信させてもよい。このとき、再生位置のどの程度先の再生位置が選択されるかは、通信環境に応じて自動的に設定されてもよく、ユーザにより任意に設定されてもよい。
【００６１】
図４に示した状態（ｉｉｉ）は、再生位置Ｐ１を含む中周波成分データＤ２の一部、及びその先の再生位置に対応する中周波成分データＤ２の一部が、中継装置２００及び受信装置３００に記憶されている状態である。受信装置３００において、コンテンツの再生中にこのような処理が行われることで、中解像度の品質でのストリーミング再生が行われる。
【００６２】
図６を参照して、中周波成分データＤ２の取得する処理の詳細について説明する。図６は、本実施形態に係る中継装置２００の中周波成分を取得する処理を示したフローチャートである。
【００６３】
まず、中周波成分データＤ２の送信シーケンスが開始されると、受信装置３００の制御部３１０は、再生位置Ｐ１を選択する（Ｓ１７０）。次いで、制御部３１０は、再生位置Ｐ１に応じて、中周波成分データが記憶される記憶部３２０の中周波成分データテーブルを更新する（Ｓ１７２）。中周波成分データテーブルは、図４の受信装置３００のデータテーブルの中で、中周波成分データＤ２の集合である。制御部３１０が更新に用いるアルゴリズムは、アプリケーション依存ではあるが、最もシンプルなアルゴリズムを表１に示す。
【００６４】
【表１】
2015033629.tif 000003
【００６５】
表１の１行目を参照すると、テーブルの各要素は以下の４つの状態を持つ。
NONE：              中周波成分データＤ２は存在しないし、取得する予定もない。
WILL_FETCH：        中周波成分データＤ２は存在しないので、取得する予定。
FETCHING：          中周波成分データＤ２は存在しないので、取得中。
FILLED：            中周波成分データは存在する。
【００６６】
また、表１の２行目〜３行目を参照すると、再生位置に相当する要素がNONEの場合はWILL_FETCHとなり、中周波成分データＤ２の取得が試みられる。さらに、表１の４行目〜５行目を参照すると、再生位置に相当する要素の次の要素がNONEの場合はWILL_FETCHとなり、中周波成分データＤ２の取得が試みられる。
【００６７】
図６のステップＳ１７２の後、制御部３１０は、中周波成分データテーブルに「取得予定」の項目があるか否かを判断する（Ｓ１７４）。
【００６８】
ステップＳ１７４の判断の結果、「取得予定」の項目がない場合、制御部３１０は、中周波成分データＤ２を取得する動作を終了する。
【００６９】
また、ステップＳ１７４の判断の結果、「所得予定」の項目がある場合、制御部３１０は、通信帯域に中周波成分データＤ２を伝送する余裕があるか否かを判断する（Ｓ１７６）。
【００７０】
ステップＳ１７６の判断の結果、通信帯域に余裕がない場合、制御部３１０は、中周波成分を取得する動作を終了する。
【００７１】
また、ステップＳ１７６の判断の結果、通信帯域に余裕がある場合、制御部３１０は、「取得予定」の中周波成分データＤ２を含む再生位置情報を生成し、中継装置２００に送信する。さらに、制御部３１０は、「取得予定」の項目を「取得中」に変更する（Ｓ１７８）。これにより、「取得予定」の中周波成分データＤ２が、送信装置１００から中継装置２００を介して受信装置３００に送信される。
【００７２】
なお、図６に図示した処理は、映像が再生中等の再生位置が自動で変化する場合、またはユーザの操作により再生位置が変化する場合にも行われる。図４の状態（ｉｖ）は、状態（ｉｉｉ）の後、再生位置Ｐ１がユーザの操作により先の再生位置に移動した状態を示す。再生位置が移動された後、ステップＳ１２０〜Ｓ１３４の処理が行われ、移動した再生位置Ｐ１に対応した中周波成分データＤ２が記憶部３２０に記憶される。
【００７３】
さらに、このとき、ステップＳ１２６において、例えば、再生位置情報に対応する中周波成分データＤ２として、再生位置Ｐ１を含む中周波成分データＤ２の一部に加え、さらにその先の再生位置Ｐ１に対応する一部が選択されてもよい。このとき、制御部１１０は、例えば再生位置Ｐ１を含む中周波成分データＤ２の一部を先に送信させ、その後、さらにその先の再生位置に対応する中周波成分データＤ２の一部を送信させてもよい。再生位置Ｐ１のさらにその先の再生位置に対応する中周波成分データＤ２が送信されることで、図４の状態（ｖ）に示すように、中継装置２００及び受信装置３００に対応する中周波成分データＤ２が記憶される。
【００７４】
（高周波成分データの送信・高画質映像の生成シーケンス）
次に、高周波成分データの送信・高画質映像の生成シーケンスについて説明する。高周波成分データの送信・高画質映像の生成シーケンスは、ステップＳ１３４の後、例えばユーザの操作により受信装置３００にてトリミング範囲が選択されることで開始する。
【００７５】
まず、任意の再生位置の範囲に対するユーザの選択操作に基づいて、制御部３１０はトリミング範囲情報を生成する（Ｓ１４０）。トリミング範囲情報は、例えばトリミングを開始する再生位置の位置情報と、トリミングを終了する再生位置の位置情報とが含まれる。ユーザの選択操作は、例えば図３に図示したシークバー３６２上で、トリミングの開始位置と終了位置とが選択される操作であり、入力部３４０により検出される。図４の状態（ｖ）は、ユーザの選択操作に基づいて、再生位置の範囲Ｐ２が選択された状態を示す。
【００７６】
次いで、通信部３３０は、制御部３１０による制御に従い、トリミング範囲情報を中継装置２００に送信する（Ｓ１４２）。Ｓ１４２の後、中継装置２００の通信部２３０は、制御部２１０による制御に従い、受信したトリミング範囲情報を送信装置１００に送信する（Ｓ１４４）。
【００７７】
さらに、送信装置１００の制御部１１０は、受信したトリミング範囲情報に対応する高周波成分データＤ３の少なくとも一部を選択する（Ｓ１４６）。このとき、制御部１１０は、例えばトリミング範囲情報が示す再生位置の範囲に対応する高周波成分データＤ３の部分を選択する。
【００７８】
その後、通信部１３０は、制御部１１０による制御に従い、選択された高周波成分データＤ３を中継装置２００に送信する（Ｓ１４８）。
【００７９】
次いで、中継装置２００の制御部２１０は、受信した高周波成分データＤ３を記憶部２２０に記憶させる（Ｓ１５０）。図４の状態（ｖｉ）は、ステップＳ１５０の後、トリミング範囲情報が示す再生位置の範囲Ｐ２に対応した高周波成分データＤ３が記憶部２２０に記憶されている状態を示す。
【００８０】
さらに、制御部２１０は、記憶部２２０に記憶された、低周波成分データＤ１と中周波成分データＤ２と高周波成分データＤ３とを用いて、トリミング範囲情報に対応する範囲についての高解像度の品質の映像を生成（レンダリングともいう）する（Ｓ１５２）。図４の状態（ｖｉｉ）は、ステップＳ１５２の後、トリミング範囲情報の示す再生位置の範囲Ｐ２に対応した範囲についての高解像度の品質の映像が生成された状態を示す。
【００８１】
（ＬＡＮと異なるネットワークへの送信シーケンス）
次に、中継装置２００にてレンダリングされた映像をＬＡＮと異なるネットワーク４００へ送信するシーケンスについて説明する。レンダリングされた映像をＬＡＮと異なるネットワーク４００へ送信するシーケンスは、例えばステップＳ１５２の後、ユーザの操作により受信装置にて送信操作が選択されることで開始してもよい。また、レンダリングされた映像をＬＡＮと異なるネットワーク４００へ送信するシーケンスは、例えばステップＳ１５２の後、制御部２１０の制御に従い、自動的に行われてもよい。本実施形態では、レンダリングされた映像は、例えばＬＡＮと異なるネットワーク４００に接続されたサーバや情報処理装置等のデータ記憶装置に送信される。
【００８２】
（中継装置２００の中継動作）
なお、本実施形態では、中継装置２００の制御部２１０は、送信装置から送信される低周波成分データＤ１や中周波成分データＤ２等の符号化データを中継する際に、記憶部２２０に保持させるか否かを符号化データの形式に基づいて判断してもよい。
【００８３】
例えば、制御部２１０は、中継するべき符号化データを受信した後、受信した符号化データがＳＶＣ形式か否かを判断する。判断の結果、受信した符号化データがＳＶＣ形式である場合、制御部２１０は、記憶部２２０に受信した符号化データを保持させ、中継を行う。一方、受信した符号化データがＳＶＣ形式でない場合、制御部２１０は、受信した符号化データを保持させず、中継のみ行う。さらに、受信した符号化データがＳＶＣ形式でない場合、例えば後述する他の形式に基づいた判断がさらに行われることで、符号化データの保持が行われてもよい。
【００８４】
以上、本実施形態に係るデータ伝送システムにおいて、映像を編集し、ＬＡＮと異なるネットワーク４００へ送信する動作の一例を説明した。本実施形態に係るデータ伝送システムでは、ＳＶＣ形式で記憶された映像について、予め低周波成分データＤ１が送信装置１００から送信され、中継装置２００と受信装置３００とに記憶される。これにより、ユーザは、低解像度の品質の映像を確認することができ、映像の概略を把握することができる。このとき、低周波成分データＤ１は、予め受信装置３００内に記憶されており、通信環境の影響がなく表示されるため、即応性を高めることができる。
【００８５】
また、本実施形態に係るデータ伝送システムでは、再生位置情報に対応する中周波成分データＤ２が送信装置１００から受信装置３００に送信され、中継装置２００及び受信装置３００に記憶される。このとき、ユーザが選択した任意の箇所についての中周波成分データＤ２の部分のみが送信されるため、中周波成分データＤ２を全て送信する場合と比較すると、データの総転送量を低減することができる。これにより、システム全体における電力消費を抑えることができる。
【００８６】
さらに、本実施形態に係るデータ伝送システムでは、ユーザは中解像度の品質で映像をストリーミング再生させながら、目的の再生位置又は範囲をシーキングする。このとき、本実施形態に係るデータ伝送システムでは、高解像度の品質で映像をストリーミング再生させながらシーキングする場合に比べ、データの総転送量を低減でき、即応性の高めることができる。
【００８７】
さらに、本実施形態に係るデータ伝送システムでは、中継装置２００は、中継する低周波成分データＤ１や中周波成分データＤ２の符号化データを保持する。例えば中継装置２００から受信装置３００への伝送が正常に行われず、受信装置３００へ再度符号化データを伝送させる場合において、本実施形態では、中継装置２００に記憶された符号化データを受信装置３００に送信する処理が行われる。したがって、本実施形態に係るデータ伝送システムでは、かかる場合においても、送信装置１００から受信装置３００へのデータの伝送が発生しないため、データの総転送量を低減でき、システム全体における電力消費を抑えることができる。
【００８８】
さらに、本実施形態に係るデータ伝送システムでは、トリミング範囲情報に対応する高周波成分データＤ３が送信装置１００から中継装置２００に送信され、中継装置２００にてトリミング範囲情報に対応した高解像度の品質の映像がレンダリングされる。このとき、受信装置３００には高周波成分データＤ３は送信されず、中継装置２００にも高周波成分データＤ３のレンダリングに必要な部分しか送信されないため、データの総転送量が低減される。これにより、本実施形態に係るデータ伝送システムでは、システム全体における電力消費を抑えることができる。
【００８９】
さらに、本実施形態に係るデータ伝送システムでは、中継装置２００に記憶された、低周波成分データＤ１、中周波成分データＤ２及び高周波成分データＤ３を用いてレンダリングが行われ、レンダリングされた映像がＬＡＮと異なるネットワーク４００に送信される。このため、中継装置２００に各符号化データを記憶させない場合と比べ、レンダリングした映像をＬＡＮと異なるネットワーク４００に送信する際に、送信装置１００又は受信装置３００と中継装置２００との間のデータ転送量を低減することができる。これにより、本実施形態に係るデータ伝送システムでは、システム全体における電力消費を抑えることができる。
【００９０】
＜２．第２の実施形態（データが圧縮形式の例）＞
［２−１．データ伝送システムの概略説明］
次に、本開示の第２の実施形態に係るデータ伝送システムについて説明する。本実施形態では、送信装置１００に記憶された映像を編集し、所定の解像度の品質でＬＡＮと異なるネットワーク４００へ送信する処理例である。
【００９１】
本実施形態では、映像についての符号化データが圧縮された形式で送信装置１００に記憶されることが、第１の実施形態と異なる。送信装置１００に記憶された符号化データは、例えば空間方向に圧縮された符号化データである。記憶部１２０には、同一のコンテンツを示す複数の圧縮率で圧縮された複数の符号化データが記憶される。また、本実施形態では、映像を所定の解像度の品質でＬＡＮと異なるネットワーク４００へ送信することが第１の実施形態と異なる。なお、本実施形態に係るデータ伝送システム、送信装置１００、中継装置２００及び受信装置３００の装置構成については、上述の第１の実施形態と同様とする。
【００９２】
［２−２．中解像度のデータを編集し、ＬＡＮと異なるネットワークへ送信する動作例］
図７〜９を参照して、中解像度の品質の映像を生成し、生成した映像をＬＡＮと異なるネットワーク４００へ送信する動作例について説明する。図７は、本開示の第２の実施形態に係るデータ伝送システムにおいて、映像を編集し、中解像度のデータをＬＡＮと異なるネットワーク４００へ送信する動作を示した説明図である。図８Ａは、本実施形態における、低解像度データＤ１及び中解像度データＤ２の送信シーケンスを示したシーケンス図である。図８Ｂは、本実施形態における、中解像度の映像を生成してＬＡＮと異なるネットワークへ送信するシーケンスを示したシーケンス図である。
【００９３】
図７に図示したように、本実施形態では、送信装置１００の記憶部１２０には、同一のコンテンツを示す低解像度データＤ１と、中解像度データＤ２と、高解像度データＤ３との３つの符号化データが記憶される。３つの符号化データは、圧縮率が異なり、低解像度データＤ１が最も圧縮率が高く、高解像度データＤ３が最も圧縮率が低くなる。したがって、３つの符号化データの容量は、低解像度データＤ１が最も少なく、高解像度データＤ３が最も多くなる。また、低解像度データＤ１は低解像度の品質での再生、中解像度データＤ２は中解像度の品質での再生、高解像度データＤ３は高解像度の品質での再生にそれぞれ個別に用いられる。
【００９４】
（低解像度データの送信シーケンス）
まず、低解像度データＤ１の送信シーケンスについて説明する。送信装置１００の記憶部１２０に一つまたは複数のコンテンツについての符号化データが記憶されている場合、制御部１１０は、受信装置３００に送信するデータを選択する。このとき、制御部１１０は、例えば同一のコンテンツを示す符号化データが複数の圧縮率で圧縮された形式か否かを判断し、低解像度、中解像度及び高解像度の３つの圧縮率で圧縮された形式の符号化データを選択する（Ｓ２１０）。
【００９５】
次いで、通信部１３０は、制御部１１０による制御に従い、選択された低解像度データＤ１を中継装置２００に送信する（Ｓ２１２）。ステップＳ２１２の後、通信部２３０は、制御部２１０による制御に従い、送信された低解像度データＤ１を受信装置３００に送信する（Ｓ２１４）。
【００９６】
さらに、受信装置３００の制御部３１０は、送信された低解像度データＤ１を記憶部３２０に記憶させる（Ｓ２１６）。図７に図示した状態（ｉ）は、ステップＳ１１８の処理が行われた状態を示し、送信装置１００から送信された低解像度データＤ１が、受信装置３００に記憶されている状態を示す。状態（ｉ）において、例えば受信装置３００は、送信された低解像度データＤ１を用いて低解像度の品質でコンテンツを再生することができる。
【００９７】
低解像度データＤ１の送信シーケンスは、第１の実施形態における低周波成分データＤ１の送信シーケンスと同様に、制御部１１０により自動的に開始されてもよく、ユーザの操作に基づいて開始されてもよい。
【００９８】
（中解像度データの送信シーケンス）
次に、中解像度データＤ２の送信シーケンスについて説明をする。中解像度データＤ２の送信シーケンスは、例えば、ステップＳ２１６の後、受信装置３００にて低解像度Ｄ１に基づいて再生位置がユーザの操作により選択されることで開始する。まず、中解像度データＤ２の送信シーケンスが開始すると、受信装置３００の制御部３１０は、選択された再生位置を示す第１の位置情報である再生位置情報を生成する（Ｓ２２０）。再生位置情報は、例えば、選択された再生位置を示す再生時間を含む。
【００９９】
次いで、通信部３３０は、制御部３１０による制御に従い、生成された再生位置情報を中継装置２００に送信する（Ｓ２２２）。ステップＳ２２２の後、中継装置２００の通信部２３０は、制御部２１０による制御に従い、受信した再生位置情報を送信装置１００に送信する（Ｓ２２４）。
【０１００】
さらに、送信装置１００の制御部１１０は、受信した再生位置情報に対応する中解像度データＤ２の少なくとも一部を選択する（Ｓ２２６）。ステップＳ１２６の後、通信部１３０は、制御部１１０による制御に従い、選択された中解像度データＤ２を中継装置２００に送信する（Ｓ２２８）。
【０１０１】
その後、中継装置２００の制御部２１０は、受信した中解像度データＤ２を記憶部２２０に保持させる（Ｓ２３０）。ステップＳ２３０の後、通信部２３０は、制御部２１０の制御に従い、受信した中解像度データＤ２を受信装置３００に送信する（Ｓ２３２）。
【０１０２】
次いで、受信装置３００の制御部３１０は、受信した中解像度データＤ２を記憶部３２０に記憶させる（Ｓ２３４）。図７に図示した状態（ｉｉ）は、ステップＳ２３４の処理が行われた状態を示し、選択された中解像度データＤ２が、送信装置１００及び中継装置２００に記憶されている状態である。
【０１０３】
中解像度データの送信シーケンスが開始した後、受信装置３００は、受信した中解像度データＤ２を用いて、中解像度の品質でコンテンツを再生する。このとき、制御部３１０は、第１の実施形態と同様に、フレームレートに応じて再生位置Ｐ１を変更する。
【０１０４】
（中解像度の映像生成シーケンス）
次に、中解像度の映像生成シーケンスについて説明する。中解像度の映像生成シーケンスは、ステップＳ２３４の後、ユーザの操作により受信装置３００にてトリミング範囲が選択されることで開始する。
【０１０５】
まず、任意の再生位置の範囲に対するユーザの選択操作に基づいて、制御部３１０は第２の位置情報であるトリミング範囲情報を生成する（Ｓ２４０）。トリミング範囲情報は、例えばトリミングを開始する再生位置の位置情報と、トリミングを終了する再生位置の位置情報とが含まれる。ユーザの選択操作は、第１の実施形態と同様に検出される。図７の状態（ｖ）は、ユーザの選択操作に基づいて、再生位置の範囲Ｐ２が選択された状態を示す。
【０１０６】
次いで、通信部３３０は、制御部３１０による制御に従い、トリミング範囲情報を中継装置２００に送信する（Ｓ２４２）。
【０１０７】
さらに、制御部２１０は、記憶部２２０に記憶された、中解像度データＤ２を用いて、トリミング範囲情報に対応する範囲についての中解像度の品質の映像を生成する（Ｓ２４４）。図７の状態（ｖｉｉ）は、ステップＳ２４４の後、トリミング範囲情報の示す再生位置の範囲Ｐ２に対応した範囲についての中解像度の品質の映像が生成された状態を示す。
【０１０８】
（ＬＡＮと異なるネットワークへの送信シーケンス）
次に、生成した映像をＬＡＮと異なるネットワーク４００へ送信するシーケンスについて説明する。生成した映像をＬＡＮと異なるネットワーク４００へ送信するシーケンスは、例えばステップＳ２４４の後、ユーザの操作により送信操作が選択されることで開始してもよい。また、生成した映像をＬＡＮと異なるネットワーク４００へ送信するシーケンスは、例えばステップＳ２４４の後、制御部２１０の制御に従い、自動的に行われてもよい。本実施形態では、生成された映像は、例えばＬＡＮと異なるネットワーク４００に接続されたサーバや情報処理装置等のデータ記憶装置に送信される。
【０１０９】
（中継装置２００の中継動作）
なお、本実施形態では、中継装置２００の制御部２１０は、送信装置から送信される低解像度データＤ１や中解像度データＤ２等の符号化データを中継する際に、保持して記憶部２２０に記憶させるか否かを判断する。図９は、本実施形態に係る中継装置２００のデータの中継動作を示したフローチャートである。
【０１１０】
まず、中継装置２００の通信部２３０は、中継するべきデータを受信する（Ｓ２８０）。中継するべきデータは、例えば送信装置１００から送信される、低解像度データＤ１、中解像度データＤ２又は高解像度データＤ３等の符号化データである。
【０１１１】
次いで、制御部２１０は、受信したデータを品質情報に基づいて保持するか否かを判断する（Ｓ２８２）。品質情報は、中継装置２００の処理で用いられるコンテンツの品質を示す。例えば、品質情報は、ステップＳ２４４やステップＳ２５０に用いられるコンテンツの品質を示す。制御部２１０は、受信したデータが、品質情報が示すコンテンツの品質の処理に用いられるデータである場合、受信したデータを保持する。品質情報は、低周波成分データシーケンスが行われる前に予め設定されており、例えば自動またはユーザにより任意に設定される。
【０１１２】
ステップＳ２８２の判断の結果、保持されるデータである場合、制御部２１０は、記憶部２２０に受信したデータを保持させる（Ｓ２８４）。ステップＳ２８４の後、通信部２３０は、制御部２１０の制御に従い、受信したデータを受信装置３００に送信する（Ｓ２８６）。
【０１１３】
また、ステップＳ２８２の判断の結果、保持されないデータである場合、ステップＳ２８６の処理を行う。ステップＳ２８６の後、制御部２１０は、中継動作を終了させる。
【０１１４】
例えば、図８Ａ及び図８Ｂに図示した例では、中継装置２００は、中解像度の品質で映像を生成し、レンダリングした映像をＬＡＮと異なるネットワーク４００へ送信する。したがって、制御部２１０は、中解像度データＤ２のみ記憶部２２０に保持させる。例えば、ステップＳ２１２〜Ｓ２１４の間では、送信装置１００から受信するデータは低解像度データＤ１であるため、制御部２１０はデータを保持せずに中継のみ行う。また、例えばステップＳ２３０では、送信装置１００から受信するデータは中解像度データＤ２であるため、制御部２１０はデータを保持する。
【０１１５】
以上、本実施形態に係るデータ伝送システムにおいて、中解像度の品質の映像を生成し、生成した映像をＬＡＮと異なるネットワーク４００送信する動作例について説明した。本動作例では、予め低解像度データＤ１が送信装置１００から送信され、受信装置３００に記憶される。これにより、ユーザは、低解像度の品質の映像を確認することができ、映像の概略を把握することができる。このとき、低解像度データＤ１は、予め受信装置３００内に記憶されており、通信環境の影響がなく表示されるため、即応性を高めることができる。
【０１１６】
また、本動作例に係るデータ伝送システムでは、再生位置情報に対応する中周波成分データＤ２が送信装置１００から受信装置３００に送信される。このとき、ユーザが選択した任意の箇所についての中周波成分データＤ２の部分のみが送信されるため、中周波成分データＤ２を全て送信する場合と比較すると、データの総転送量を低減することができる。これにより、システム全体における電力消費を抑えることができる。
【０１１７】
さらに、本動作例に係るデータ伝送システムでは、ユーザは中解像度の品質で映像をストリーミング再生させながら、目的の再生位置又は範囲をシーキングする。このとき、作例に係るデータ伝送システムでは、高解像度の品質で映像をストリーミング再生させながらシーキングする場合に比べ、データの総転送量を低減でき、即応性の高めることができる。
【０１１８】
さらに、本動作例に係るデータ伝送システムでは、中継装置２００に記憶された、中解像度データＤ２を用いてレンダリングが行われ、レンダリングされた映像がＬＡＮと異なるネットワーク４００に送信される。このため、中継装置２００に中解像度データＤ２を記憶させない場合と比べ、レンダリングした映像をＬＡＮと異なるネットワーク４００に送信する際に、送信装置１００又は受信装置３００と中継装置２００との間のデータ転送量を低減することができる。これにより、作例に係るデータ伝送システムでは、システム全体における電力消費を抑えることができる。
【０１１９】
［２−３．高解像度のデータを編集し、ＬＡＮと異なるネットワークへ送信する動作例］
次に、図１０、図１１Ａ及び図１１Ｂを参照して、高解像度の品質の映像を生成し、生成した映像をＬＡＮと異なるネットワーク４００へ送信する動作例について説明する。図１０は、本実施形態に係るデータ伝送システムにおいて、映像を編集し、高解像度のデータをＬＡＮと異なるネットワーク４００へ送信する動作を示した説明図である。図１１は、本実施形態における、低解像度データＤ１及び中解像度データＤ２の送信シーケンスを示したシーケンス図である。図１１Ｂは、本実施形態における、高解像度データＤ３の送信シーケンス及び高解像度の映像を生成してＬＡＮと異なるネットワークへ送信するシーケンスを示したシーケンス図である。
【０１２０】
（低解像度データの送信シーケンス）
まず、低解像度データＤ１の送信シーケンスについて説明する。低解像度データの送信シーケンスにおけるステップＳ３１０〜Ｓ３１６の処理は、図８Ａで説明したステップＳ２１０〜Ｓ２１６の処理と同様である。
【０１２１】
（中解像度データの送信シーケンス）
次に、中解像度データＤ２の送信シーケンスについて説明をする。中解像度データＤ２の送信シーケンスは、例えば、ステップＳ３１６の後、受信装置３００にて低解像度Ｄ１に基づいて再生位置がユーザの操作により選択されることで開始する。中解像度データＤ２の送信シーケンスが開始すると、受信装置３００の制御部３１０は、選択された再生位置を示す第１の位置情報である再生位置情報を生成する（Ｓ３２０）。再生位置情報は、選択された再生位置を示すデータを含む。
【０１２２】
さらに、通信部３３０は、制御部３１０による制御に従い、生成された再生位置情報を中継装置２００に送信する（Ｓ３２２）。ステップＳ３２２の後、中継装置２００の通信部２３０は、制御部２１０による制御に従い、受信した再生位置情報を送信装置１００に送信する（Ｓ２２４）。
【０１２３】
その後、送信装置１００の制御部１１０は、受信した再生位置情報に対応する中解像度データＤ２の少なくとも一部を選択する（Ｓ３２６）。ステップＳ３２６の後、通信部１３０は、制御部１１０による制御に従い、選択された中解像度データＤ２を中継装置２００に送信する（Ｓ３２８）。
【０１２４】
次いで、中継装置２００の通信部２３０は、制御部２１０の制御に従い、受信した中解像度データＤ２を受信装置３００に送信する（Ｓ３３０）。
【０１２５】
さらに、受信装置３００の制御部３１０は、受信した中解像度データＤ２を記憶部３２０に記憶させる（Ｓ３３２）。図１０に図示した状態（ｉｉ）は、ステップＳ３３２の処理が行われた状態を示し、選択された中解像度データＤ２が、送信装置１００及び受信装置３００に記憶されている状態を示す。
【０１２６】
中解像度データの送信シーケンスが開始した後、受信装置３００は、受信した中解像度データＤ２を用いて、中解像度の品質でコンテンツを再生する。このとき、制御部３１０は、第１の実施形態と同様に、フレームレートに応じて再生位置Ｐ１を変更する。
【０１２７】
（高解像度データの送信及び高解像度の映像生成シーケンス）
次に、高解像度データの送信及び高解像度の映像生成シーケンスについて説明する。高解像度データの送信及び高解像度の映像生成シーケンスは、ステップＳ３３２の後、ユーザの操作により受信装置３００にてトリミング範囲が選択されることで開始する。
【０１２８】
まず、任意の再生位置の範囲に対するユーザの選択操作に基づいて、制御部３１０はトリミング範囲情報を生成する（Ｓ３４０）。トリミング範囲情報は、例えばトリミングを開始する再生位置の位置情報と、トリミングを終了する再生位置の位置情報とが含まれる。ユーザの選択操作は、第１の実施形態と同様に検出される。図１０の状態（ｖ）は、ユーザの選択操作に基づいて、再生位置の範囲Ｐ２が選択された状態を示す。
【０１２９】
次いで、通信部３３０は、制御部３１０による制御に従い、トリミング範囲情報を中継装置２００に送信する（Ｓ３４２）。Ｓ３４２の後、中継装置２００の通信部２３０は、制御部２１０による制御に従い、受信したトリミング範囲情報を送信装置１００に送信する（Ｓ３４４）。
【０１３０】
さらに、送信装置１００の制御部１１０は、受信したトリミング範囲情報に対応する高解像度データＤ３の少なくとも一部を選択する（Ｓ３４６）。このとき、制御部１１０は、例えばトリミング範囲情報が示す再生位置の範囲に対応する高解像度データＤ３の部分を選択する。
【０１３１】
その後、通信部１３０は、制御部１１０による制御に従い、選択された高解像度データＤ３を中継装置２００に送信する（Ｓ３４８）。
【０１３２】
次いで、中継装置２００の制御部２１０は、受信した高解像度データＤ３を記憶部２２０に記憶させる（Ｓ３５０）。図１０の状態（ｖｉ）は、ステップＳ３５０の後、トリミング範囲情報が示す再生位置の範囲Ｐ２に対応した高解像度データＤ３が記憶部２２０に記憶されている状態を示す。
【０１３３】
さらに、制御部２１０は、記憶部２２０に記憶された、高解像度データＤ３を用いて、トリミング範囲情報に対応する範囲についての高解像度の品質の映像を生成する（Ｓ３５２）。図１０の状態（ｖｉｉ）は、ステップＳ３５２の後、トリミング範囲情報の示す再生位置の範囲Ｐ２に対応した範囲についての高解像度の品質の映像が生成された状態を示す。
【０１３４】
（ＬＡＮ外への送信シーケンス）
次に、生成した映像をＬＡＮの外へ送信するシーケンスについて説明する。生成した映像をＬＡＮの外へ送信するシーケンスにおけるステップＳ３５０の処理は、図８Ｂで説明したステップＳ２５０の処理と同一である。
【０１３５】
（中継装置２００の中継動作）
なお、高解像度の品質の映像を編集し、ＬＡＮの外へ送信する場合においても、中継装置２００のデータを中継する動作は、図９に図示した例と同様に行われる。
【０１３６】
したがって、制御部２１０は、高解像度の品質の映像に利用しない低解像度データＤ１と中解像度データＤ２は記憶部２２０に保持させない。例えば、ステップＳ３１２〜Ｓ３１４の間では、送信装置１００から受信するデータは低解像度データＤ１であるため、データの保持はせず、中継のみ行う。また、例えばステップＳ３２８〜Ｓ３３０の間では、送信装置１００から受信するデータは中解像度データＤ２であるため、データの保持はせず、中継のみ行う。
【０１３７】
以上、本実施形態に係るデータ伝送システムにおいて、高解像度の品質の映像を生成し、生成した映像をＬＡＮと異なるネットワーク４００送信する動作例について説明した。本動作例では、予め低解像度データＤ１が送信装置１００から送信され、受信装置３００に記憶される。これにより、ユーザは、低解像度の品質の映像を確認することができ、映像の概略を把握することができる。このとき、低解像度データＤ１は、予め受信装置３００内に記憶されており、通信環境の影響がなく表示されるため、操作の即応性を高めることができる。
【０１３８】
また、本動作例に係るデータ伝送システムでは、再生位置情報に対応する中周波成分データＤ２が送信装置１００から受信装置３００に送信される。このとき、ユーザが選択した任意の箇所についての中周波成分データＤ２の部分のみが送信されるため、中周波成分データＤ２を全て送信する場合と比較すると、データの総転送量を低減することができる。これにより、システム全体における電力消費を抑えることができる。
【０１３９】
さらに、本動作例に係るデータ伝送システムでは、ユーザは中解像度の品質で映像をストリーミング再生させながら、目的の再生位置又は範囲をシーキングする。このとき、本実施形態に係るデータ伝送システムでは、高解像度の品質で映像をストリーミング再生させながらシーキングする場合に比べ、データの総転送量を低減でき、操作の即応性の高めることができる。
【０１４０】
さらに、本動作例に係るデータ伝送システムでは、トリミング範囲情報に対応する高解像度データＤ３が送信装置１００から中継装置２００に送信され、中継装置２００にてトリミング範囲情報に対応した高解像度の品質の映像がレンダリングされる。このとき、受信装置３００には高解像度データＤ３は送信されず、中継装置２００にも高解像度データＤ３のレンダリングに必要な部分しか送信されないため、データの総転送量が低減される。これにより、本動作例に係るデータ伝送システムでは、システム全体における電力消費を抑えることができる。
【０１４１】
さらに、本動作例に係るデータ伝送システムでは、中継装置２００に記憶された、高解像度データＤ３を用いてレンダリングが行われ、レンダリングされた映像がＬＡＮと異なるネットワーク４００に送信される。このため、中継装置２００に高解像度データＤ３を記憶させない場合と比べ、レンダリングした映像をＬＡＮと異なるネットワーク４００に送信する際に、送信装置１００又は受信装置３００と中継装置２００との間のデータ転送量を低減することができる。これにより、本作例に係るデータ伝送システムでは、システム全体における電力消費を抑えることができる。
【０１４２】
＜３．第３の実施形態（他のデータ伝送システム）＞
次に、図１２及び図１３を参照して、本開示に係るデータ伝送システムの第３の実施形態について説明する。図１２は、本開示の第３の実施形態に係るデータ伝送システムを示した説明図である。
【０１４３】
図１２に示したように、本実施形態に係るデータ伝送システムは、送信装置１００と、受信装置３００とからなり、上述の第１の実施形態及び第２の実施形態と異なる装置構成をとるが、符号化データの編集や送信等の処理方法は同様である。送信装置１００と受信装置３００とは、例えば無線通信を利用したＬＡＮに接続されることにより、互いにデータの送受信を行う。受信装置３００は、送信装置１００が接続されたＬＡＮと異なるネットワーク４００に接続することができ、異なるネットワークに接続された他のデータ記憶装置とデータの送受信を行う。
【０１４４】
図１３は、本実施形態に係る送信装置、中継装置及び受信装置の構成を示した機能ブロック図である。なお、本実施形態に係る送信装置１００の装置構成は、上述の第１の実施形態及び第２の実施形態と同様とする。
【０１４５】
本実施形態に係る受信装置３００は、第１の実施形態に係る中継装置２００と受信装置３００とを合わせた装置構成を有する。例えば、本実施形態に係る受信装置３００の通信部３３０は、第１の実施形態に係る通信部３３０の動作に加え、第１の実施形態に係る通信部２３０の動作を行う。例えば、本実施形態に係る通信部３３０は、アクセスポイントとなり、送信装置１００が接続されたＷｉ−Ｆｉ無線ＬＡＮを形成する。また、通信部３３０は、送信装置１００が接続されたＬＡＮの外のネットワーク４００に接続することができ、ＬＡＮの外のデータ記憶装置とデータ通信を行うことができる。さらに、通信部３３０は、ゲートウェイとして機能し、ＬＡＮの外のインターネットにデータ通信をすることができる。
【０１４６】
以上、本実施形態に係るデータ伝送システムについて説明した。本実施形態に係るデータ伝送システムは、受信装置３００が、第１の実施形態及び第２の実施形態における中継装置２００及び受信装置３００と同様な動作を行う。これにより、第１の実施形態及び第２の実施形態におけるデータ伝送システムが、図１３に示した装置構成においても実現できる。
【０１４７】
＜４．ハードウェア構成＞
（送信装置１００）
図１４を参照して、本開示の一実施形態に係る送信装置１００のハードウェア構成について説明する。図１４は、送信装置１００のハードウェア構成を説明するためのブロック図である。図示された送信装置１００は、例えば、上記の実施形態における送信装置１００を実現しうる。
【０１４８】
送信装置１００は、撮像装置９００、駆動装置９０１、ＡＤ（Ａｎａｌｏｇ−ｔｏ−Ｄｉｇｉｔａｌ）変換装置９０２、ＴＧ（Ｔｉｍｉｎｇ  Ｇｅｎｅｒａｔｏｒ）９０４、及びＣＰＵ（Ｃｅｎｔｒａｌ  Ｐｒｏｃｅｓｓｉｎｇ  Ｕｎｉｔ）９０６を有する。また、送信装置１００は、操作装置９０８、センサ９１０、ＲＯＭ（Ｒｅａｄ  Ｏｎｌｙ  Ｍｅｍｏｒｙ）９１２、ＲＡＭ（Ｒａｎｄｏｍ  Ａｃｃｅｓｓ  Ｍｅｍｏｒｙ）９１４、圧縮符号回路９１６、画像処理回路９１８、及び表示装置９２０を有する。さらに、送信装置１００は、接続用Ｉ／Ｆ９２２、記憶媒体９２４、及び通信装置９２６を有する。
【０１４９】
撮像装置９００は、レンズ９００１および撮像素子９００３を有し、撮像部１５０として機能する。レンズ９００１は、ズームレンズやフォーカスレンズなど、複数のレンズにより構成される。撮像素子９００３は、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）により実現される。撮像素子９００３は、レンズ９００１により取り込まれた被写体光（入射光）を受光し、信号電荷に変換する。撮像素子９００３は、変換した信号電荷に基づいた電圧を、各画素の画素信号として出力する。なお、各画素の画素信号をまとめた信号が画像信号となる。
【０１５０】
ＡＤ変換装置９０２は、入力されたアナログ信号をデジタル信号に変換する。具体的には、ＡＤ変換装置９０２は、撮像素子９００３から出力された画像信号を、アナログ信号からデジタル信号に変換して、ＲＡＭ９１４に書き込む。
【０１５１】
ここで、第１の実施形態〜第３の実施形態においては、ＡＤ変換装置９０２が制御部１１０の一機能として機能する。即ち、第１の実施形態〜第３の実施形態においては、ＡＤ変換装置９０２が、撮像部１５０から出力されたアナログ信号から成る画像をデジタル化して、ＲＡＭ９１４に書き込む。
【０１５２】
ＲＡＭ９１４は、データを一時的に記憶する記憶領域である。ＲＡＭ９１４は、ＡＤ変換装置９０２によりデジタル化された画像信号、または後述の画像処理回路９１８により生成された画像データを記憶する。また、ＲＡＭ９１４は、後述するＣＰＵ９０６の実行において使用するプログラムや、その実行において適宜変化するパラメータなどを一次記憶する。
【０１５３】
駆動装置９０１は、レンズ９００１の各レンズを光軸方向に移動させて、焦点を被写体に合焦させる。
【０１５４】
ＴＧ９０４は、撮像素子９００３およびＡＤ変換装置９０２に対してパルス信号を出力することで、撮像素子９００３およびＡＤ変換装置９０２の動作タイミングを同期させる。
【０１５５】
画像処理回路９１８は、ホワイトバランス処理、色補間処理、輪郭補償処理、階調変換処理などの画像処理を行う。具体的には、画像処理回路９１８は、ＲＡＭ９１４に書き込まれた画像信号に対してこれらの画像処理を行うことで、画像データを生成する。そして、画像処理回路９１８は、生成した画像データをＲＡＭ９１４に一時記憶させる。画像処理回路９１８は、第１の実施形態〜第３の実施形態における制御部１１０の一機能として機能する。
【０１５６】
圧縮符号回路９１６は、ＲＡＭ９１４に一時記憶された、画像処理回路９１８による画像処理済みの画像データに対して、圧縮符号化処理を行う。例えば、画像データが動画像に基づくものである場合、圧縮符号回路９１６は、圧縮符号処理により、Ｍｐｅｇ（Ｍｏｖｉｎｇ  Ｐｉｃｔｕｒｅ  Ｅｘｐｅｒｔｓ  Ｇｒｏｕｐ）形式やＨ．２６Ｌ形式の符号化データを生成する。圧縮符号回路９１６は、この符号化データに、撮影条件、撮影日時、カメラの基本情報等からなる付帯情報を付帯して、接続用Ｉ／Ｆ９２２に接続した記憶媒体９２４に書き込む。圧縮符号回路９１６は、第１の実施形態〜第３の実施形態における制御部１１０の一機能として機能する。
【０１５７】
接続用Ｉ／Ｆ９２２は、送信装置１００と記憶媒体９２４とを電気的に接続する。これにより、送信装置１００は、記憶媒体９２４へのデータの書き込みや、記憶媒体９２４に記憶されたデータの読み出しを行うことができる。
【０１５８】
記憶媒体９２４は、画像データを記憶する記憶部１２０として機能する。記憶媒体９２４は、例えばカード型メモリなどのフラッシュメモリや、ＤＶＤ（Ｄｉｇｉｔａｌ
Ｖｅｒｓａｔｉｌｅ Ｄｉｓｃ）などの記録媒体により実現される。
【０１５９】
表示装置９２０は、撮像の設定や通信状態を表示させる。表示装置９２０は、例えばＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ−Ｅｍｉｔｔｉｎｇ  Ｄｉｏｄｅ）などにより実現される。
【０１６０】
通信装置９２６は、例えば、通信ネットワークに接続するための通信デバイスなどで構成された通信インターフェイスである。通信装置９２６は、例えば、有線または無線ＬＡＮ（Ｌｏｃａｌ  Ａｒｅａ  Ｎｅｔｗｏｒｋ）、Ｂｌｕｅｔｏｏｔｈ（登録商標）、またはＷＵＳＢ（Ｗｉｒｅｌｅｓｓ  ＵＳＢ）用の通信カードなどにより実現される。
【０１６１】
ＲＯＭは、ＣＰＵ９０６が使用するプログラムや演算パラメータなどを記憶する。
【０１６２】
ＣＰＵ９０６は、演算処理装置および制御装置として機能し、各種プログラムに従って送信装置１００内の動作全般を制御する。なお、ＣＰＵ９０６は、使用するプログラムや演算パラメータ等を記憶するＲＯＭ、および適宜変化するパラメータ等を一時記憶するＲＡＭを含んでいてもよい。本開示の一実施形態に係るＣＰＵ９０６は、ＲＡＭ９１４に格納される制御プログラムを読み出し実行することで、送信装置１００内の動作全般を制御する。ＣＰＵ９０６は、第１の実施形態〜第３の実施形態における制御部１１０の一機能として機能し、撮像制御、記録制御及び通信制御を行う。
【０１６３】
操作装置９０８は、ユーザからの撮像指示や初期設定、撮像時や再生時の設定、出力する画像のアスペクト比の設定などを受け付ける。操作装置９０８は、例えば、ボタン、タッチセンサ、表示装置９２０と一体的に形成されるタッチパネルとして実現される。操作装置９０８は、第１の実施形態〜第３の実施形態における入力部１４０として機能する。
【０１６４】
センサ９１０は、例えば、加速度センサ、ジャイロセンサ、地磁気センサ、光センサ、音センサ、気圧センサなど各種のセンサである。センサ９１０は、例えば送信装置１００の筐体の姿勢など、送信装置１００自体の状態に関する情報や、送信装置１００の周辺の明るさや騒音など、送信装置１００の周辺環境に関する情報を取得する。また、センサ９１０は、ＧＰＳ（Ｇｌｏｂａｌ  Ｐｏｓｉｔｉｏｎｉｎｇ  Ｓｙｓｔｅｍ）信号を受信して装置の緯度、経度および高度を測定するＧＰＳセンサを含んでもよい。
【０１６５】
（中継装置２００）
次に、本開示の一実施形態に係る中継装置２００のハードウェア構成について説明する。本実施形態に係る中継装置２００は、例えば、上記の実施形態における中継装置２００を実現しうる。
【０１６６】
中継装置２００は、図１４に図示した送信装置１００のハードウェア構成の内、ＣＰＵ９０６、ＲＯＭ９１２、ＲＡＭ９１４、画像処理回路９１８、接続用Ｉ／Ｆ９２２、記憶媒体９２４及び通信装置９２６を有する。なお、送信装置１００と同様な機能構成を有する構成要件については重複説明を省略する。
【０１６７】
画像処理回路９１８は、記憶媒体９２４に記憶された画像データから、トリミング範囲情報の示す再生範囲の、所定の再生品質の画像データを生成し、接続用Ｉ／Ｆ９２２に接続した記憶媒体９２４に書き込む。
【０１６８】
（受信装置３００）
次に、本開示の一実施形態に係る受信装置３００のハードウェア構成について説明する。本実施形態に係る受信装置３００は、例えば、上記の実施形態における受信装置３００を実現しうる。
【０１６９】
受信装置３００は、図１４に図示した送信装置１００のハードウェア構成の内、ＣＰＵ９０６、操作装置９０８、ＲＯＭ９１２、ＲＡＭ９１４、表示装置９２０、接続用Ｉ／Ｆ９２２、記憶媒体９２４及び通信装置９２６を有する。なお、送信装置１００と同様な機能構成を有する構成要件については重複説明を省略する。
【０１７０】
表示装置９２０は、画像データを表示する表示部３６０として機能する。表示装置９２０は、例えばＬＣＤまたはＯＬＥＤなどにより実現される。表示装置９２０は、撮像映像の他に、設定を行う際の設定用の画像を表示する。
【０１７１】
操作装置９０８は、ユーザからの再生指示や再生位置の選択指示、再生時の設定などを受け付ける。操作装置９０８は、例えば、ボタン、タッチセンサ、表示装置９２０と一体的に形成されるタッチパネルとして実現される。操作装置９０８は、第１の実施形態〜第３の実施形態における入力部１４０として機能する。
【０１７２】
以上、送信装置１００、中継装置２００及び受信装置３００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【０１７３】
＜５．むすび＞
以上、添付図面を参照しながら本開示の好適な実施形態について詳細に説明した。本開示に係る送信装置１００、中継装置２００及び受信装置３００は、送信装置１００に記憶された第１の品質のために用いられる第１の符号化データが受信装置３００に送信される。この後、第１の品質よりも高品質な第２の品質のために用いられる第２の符号化データのうち、再生位置情報に対応する部分が送信装置１００から受信装置３００に送信される。これにより、ユーザは、第１の品質の映像通じた映像の概略を把握する操作について、即応性を高めることができる。また、第２の符号化データについては、ユーザが選択した再生位置情報に対応した部分のみが送信装置１００から受信装置３００に送信されるため、データ転送量が少なくなり、操作の即応性を高めることができる。
【０１７４】
なお、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１７５】
例えば、上記実施形態では、送信装置１００と中継装置２００と受信装置とは、無線通信を利用したネットワークとしてＷｉ−Ｆｉ無線ＬＡＮで接続されるとしたが、本技術はかかる例に限定されない。例えば、Ｂｌｕｅｔｏｏｔｈ（登録商標）によるネットワークで接続されてもよい。この場合、例えば第１の実施形態及び第２の実施形態では、中継装置２００がセントラル機器となる。また、例えば第３の実施形態では、受信装置３００がセントラル機器となる。
【０１７６】
また、上記実施形態では、送信装置１００と中継装置２００と受信装置とは、無線通信を利用したネットワークで接続されるとしたが、本技術はかかる例に限定されない。例えば、少なくともいずれかの装置同士が有線にて接続されてもよい。
【０１７７】
また、上記実施形態では、中継装置２００又は受信装置３００とＬＡＮの異なるネットワークに接続されたデータ記憶装置とは、無線通信にて接続されるとしたが、本技術はかかる例に限定されない。例えば、中継装置２００又は受信装置３００とデータ記憶装置とが有線に接続されてもよい。
【０１７８】
例えば、上記第１の実施形態では、高解像度の品質の映像をレンダリングし、レンダリングした映像をＬＡＮの異なるネットワークに送信するとしたが、本技術はかかる例に限定されない。例えば、中解像度の品質の映像をレンダリングし、レンダリングした映像をＬＡＮの異なるネットワークに送信してもよい。このとき、図５Ａに示したステップＳ１４４〜Ｓ１５０の処理は行われない。さらに、ステップＳ１５２において、制御部２１０は、記憶部２２０に記憶した低周波成分データＤ１及び中周波成分データＤ２を用いて、トリミング範囲情報に対応する中解像度の品質の映像をレンダリングしてもよい。
【０１７９】
また、上記実施形態では、送信装置１００は、符号化データの形式に応じて予め受信装置３００に低解像度の品質の再生に用いる符号化データを送信したが、本開示はかかる例に限定されない。例えば、送信装置１００の制御部１１０は、符号化データに記憶されたヘッダ情報等に基づいて低解像度の品質の再生に用いる符号化データを送信するかしないかを判断してもよい。このとき、ヘッダ情報は、ユーザの操作により符号化データに付加されてもよい。
【０１８０】
また、第２の実施形態では、中継装置２００は、品質情報に応じて中継する符号化データを保持するか否かを判断するが、本開示はかかる例に限定されない。例えば、中継装置２００の制御部２１０は、第１の実施形態と同様に、中継する符号化データを全て保持してもよい。これにより、例えば中継装置２００から受信装置３００への伝送が正常に行われず、受信装置３００へ再度符号化データを伝送させる場合においても、送信装置１００から受信装置３００へのデータの伝送が発生しない。このため、データの総転送量を低減でき、システム全体における電力消費を抑えることができる。
【０１８１】
また、第２の実施形態では、符号化データは空間方向に圧縮されたデータであるが、本開示はかかる例に限定されない。例えば、符号化データは、時間方向又は空間方向と時間方向に圧縮されたデータであってもよい。時間方向に圧縮される場合、例えばフレームレートを下げ、低解像度データＤ１は秒速１フレーム、中解像度データＤ２は秒速１５フレーム、高解像度データＤ３は秒速３０フレームとしてもよい。
【０１８２】
また、上記実施形態では、送信装置１００、中継装置２００及び受信装置３００は、符号化データの送受信を行うが、本開示はかかる例に限定されない。例えば、符号化データと共に符号化データに関連し、時間的な連続性を有する関連データを送受信してもよい。関連データは、例えばコンテンツが撮像された映像である場合、撮像時に得られる情報である。例えば、関連データは、焦点距離から得られる撮影中の被写体像との距離等である。
【０１８３】
また、上記実施形態では、送信装置１００は、例えばデジタルビデオカメラ等の映像を撮像する撮像装置であるが、本開示はかかる例に限定されない。例えば、映像や音声等のコンテンツが記憶されたストレージ装置であってもよい。
【０１８４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１８５】
なお、以下のような構成も本開示の技術的範囲に属する。
（１）時間的な連続性を有する同一のコンテンツについて、第１の品質での再生のために用いられる第１の符号化データと、前記第１の品質よりも高品質な第２の品質での再生のために用いられる第２の符号化データとを記憶する記憶部と、前記第１の符号化データを受信装置に送信した後、前記受信装置からデータ位置に関する第１の位置情報を受信し、前記第２の符号化データのうちで前記第１の位置情報に対応する部分を前記受信装置に送信する通信部と、を備える、送信装置。
（２）前記記憶部に記憶されたデータから所定のデータ形式を有する前記第１の符号化データを選択し、選択した前記第１の符号化データを前記通信部に送信させる制御部をさらに備える、（１）に記載の送信装置。
（３）前記第１の品質の再生は、前記第１の符号化データが用いられ、前記第２の品質の再生は、前記第１の符号化データと前記第２の符号化データとの両方が用いられる、（１）または（２）に記載の送信装置。
（４）前記第１の符号化データは、前記第２の符号化データよりも圧縮率の高いデータである、（１）または（２）に記載の送信装置。
（５）前記記憶部は、前記第２の品質よりも高品質な第３の品質での再生のために用いられる第３の符号化データを記憶し、前記通信部は、前記第２の符号化データを前記受信装置に送信した後、前記受信装置からデータ位置に関する第２の位置情報を受信し、前記第３の符号化データのうちで前記第２の位置情報に対応する部分を送信する、（１）〜（４）のいずれか１項に記載の受信装置。
（６）前記通信部は、前記第１の位置情報を受信した後、前記第２の符号化データのうちで前記第１の位置情報の対応する再生位置の先の再生位置に対応する部分をさらに前記受信装置に送信する、（１）〜（５）のいずれか１項に記載の送信装置。
（７）前記記憶部は、前記第１の符号化データと同一コンテンツに関する時間的な連続性を有する関連データを記憶し、前記通信部は、前記関連データを前記受信装置に送信する、（１）〜（６）のいずれか１項に記載の送信装置。
（８）送信装置から受信装置に送信される時間的な連続性を有する同一のコンテンツについて、第１の品質での再生のために用いられる第１の符号化データと、前記第１の品質よりも高品質な第２の品質での再生のために用いられる第２の符号化データとを中継し、前記受信装置から前記送信装置に送信されるデータ位置に関する第１の位置情報を中継する通信部を備え、前記通信部は、前記第１の符号化データを中継した後、前記第１の位置情報を中継し、前記第２の符号化データのうちで前記第１の位置情報に対応する部分を中継する、中継装置。
（９）記憶部と、前記通信部により中継された前記第１の符号化データの形式に基づき、当該第１の符号化データを前記記憶部に保持させるか否かを判断する制御部と、をさらに備える、（８）に記載の中継装置。
（１０）前記制御部は、前記第１の品質の再生および前記第２の品質の再生の双方のために用いられる形式を有する第１の符号化データを前記記憶部に保持させ、前記第２の品質の再生のために用いられない形式を有する第１の符号化データを前記記憶部に保持させない、（９）に記載の中継装置。
（１１）前記第１の符号化データ、前記第２の符号化データ及び前記その他の符号化データは、互いに圧縮率の異なるデータであり、前記第１の符号化データ、前記第２の符号化データまたはその他の符号化データのうち少なくとも一つの符号化データを前記記憶部に記憶させるか否かを、前記中継装置における処理で用いられるコンテンツの品質を示す品質情報に基づいて判断する制御部をさらに備える、（９）または（１０）に記載の中継装置。
（１２）前記通信部は、前記送信装置から送信される前記第２の品質よりも高品質な第３の品質での再生のために用いられ、符号化データの一つである第３の符号化データを受信し、前記記憶部は、前記第３の符号化データを記憶する、（９）〜（１１）のいずれか１項に記載の中継装置。
（１３）前記通信部は、前記受信装置から送信されるデータ位置に関する第２の位置情報を受信または前記送信装置に中継する、（９）〜（１２）のいずれか１項に記載の中継装置。
（１４）前記第１の符号化データ、前記第２の符号化データ及びその他の符号化データの少なくとも一つの符号化データのうちで前記第２の位置情報に対応する部分を選択する制御部を備える、（１３）に記載の中継装置。
（１５）前記通信部は、データ記憶装置との通信を行い、前記制御部により選択された前記符号化データのうちで前記第２の位置情報に対応する部分を前記データ記憶装置に送信する、（１４）に記載の中継装置。
（１６）データ位置に関する第１の位置情報を生成する制御部と、送信装置から送信される時間的な連続性を有する同一のコンテンツについて、第１の品質での再生のために用いられる第１の符号化データと、前記第１の品質よりも高品質な第２の品質での再生のために用いられる第２の符号化データとを受信し、前記第１の位置情報を前記送信装置に送信する通信部と、受信した前記第１の符号化データと前記第２の符号化データとを含む符号化データを記憶する記憶部と、を備え、前記通信部は、前記第１の符号化データを受信した後、前記第１の位置情報を送信し、前記第２の符号化データのうちで前記第１の位置情報に対応する部分を受信する、受信装置。
（１７）前記制御部は、データ位置に関する第２の位置情報を生成し、前記通信部は、前記第２の位置情報を送信する、（１６）に記載の受信装置。
（１８）前記制御部は、前記符号化データの少なくとも一つの符号化データのうち前記第２の位置情報に対応する部分を選択し、前記通信部は、データ記憶装置との通信を行い、選択された前記前記第２の位置情報に対応する部分をデータ記憶装置に送信する、（１７）に記載の受信装置。
（１９）前記通信部は、前記送信装置から送信される前記第２の品質よりも高品質な第３の品質での再生のために用いられる第３の符号化データを受信し、前記記憶部は、前記第３の符号化データを記憶する、（１６）〜（１８）のいずれか１項に記載の受信装置。
（２０）（１）に記載の送信装置と、（２）に記載の中継装置と、（３）に記載の受信装置と、を備える、データ伝送システム。
（２１）コンピュータを、時間的な連続性を有する同一のコンテンツについて、第１の品質での再生のために用いられる第１の符号化データと、前記第１の品質よりも高品質な第２の品質での再生のために用いられる第２の符号化データとを記憶する記憶部と、前記第１の符号化データを受信装置に送信した後、前記受信装置からデータ位置に関する第１の位置情報を受信し、前記第２の符号化データのうちで前記第１の位置情報に対応する部分を前記受信装置に送信する通信部と、して機能させるためのプログラムが記憶された記憶媒体。
（２２）コンピュータを、送信装置から受信装置に送信される時間的な連続性を有する同一のコンテンツについて、第１の品質での再生のために用いられる第１の符号化データと、前記第１の品質よりも高品質な第２の品質での再生のために用いられる第２の符号化データとを中継し、前記受信装置から前記送信装置に送信されるデータ位置に関する第１の位置情報を中継する通信部として機能させるためのプログラムが記憶され、前記通信部は、前記第１の符号化データを中継した後、前記第１の位置情報を中継し、前記第２の符号化データのうちで前記第１の位置情報に対応する部分を中継する、記憶媒体。
（２２）コンピュータを、データ位置に関する第１の位置情報を生成する制御部と、送信装置から送信される時間的な連続性を有する同一のコンテンツについて、第１の品質での再生のために用いられる第１の符号化データと、前記第１の品質よりも高品質な第２の品質での再生のために用いられる第２の符号化データとを受信し、前記第１の位置情報を前記送信装置に送信する通信部と、受信した前記第１の符号化データと前記第２の符号化データとを含む符号化データを記憶する記憶部と、して機能させるためのプログラムが記憶され、前記通信部は、前記第１の符号化データを受信した後、前記第１の位置情報を送信し、前記第２の符号化データのうちで前記第１の位置情報に対応する部分を受信する、記憶媒体。
【符号の説明】
【０１８６】
１００    送信装置
１１０    制御部
１２０    記憶部
１３０    通信部
１４０    入力部
１５０    撮像部
２００    中継装置
２１０    制御部
２２０    記憶部
２３０    通信部
３００    受信装置
３１０    制御部
３２０    記憶部
３３０    通信部
３４０    入力部
３６０    表示部
３６１    コンテンツ表示領域
３６２    シークバー
３６３    再生位置
３６４    再生時間
３６５    総再生時間
４００    ＬＡＮと異なるネットワーク
【図１】
2015033629.tif 000004
【図２】
2015033629.tif 000005
【図３】
2015033629.tif 000006
【図４】
2015033629.tif 000007
【図５Ａ】
2015033629.tif 000008
【図５Ｂ】
2015033629.tif 000009
【図６】
2015033629.tif 000010
【図７】
2015033629.tif 000011
【図８Ａ】
2015033629.tif 000012
【図８Ｂ】
2015033629.tif 000013
【図９】
2015033629.tif 000014
【図１０】
2015033629.tif 000015
【図１１Ａ】
2015033629.tif 000016
【図１１Ｂ】
2015033629.tif 000017
【図１２】
2015033629.tif 000018
【図１３】
2015033629.tif 000019
【図１４】
2015033629.tif 000020
【国際調査報告】
2015033629.tif 000021
2015033629.tif 000022
2015033629.tif 000023